(57)【要約】      （修正有）【課題】パッティングストロークにおいて、プレー者自身がパタークラブに合わせ身体を調整することなく、パタークラブ振り子運動直進性のバランス調整を行うことのできるバランス調整可能なパタークラブを提供する。【解決手段】パターフェイス背面の右端・中央・左端の３ヶ所に夫々に筒２３，２４，２５を後方に向けて並設し、後端が開口された前記各筒内部の奥端中心に雌螺子穴２３ｄ，２４ｄ，２５ｄを夫々設け、前記筒内径より小さく中央に穴の開いた錘５を必要数組み合わせ必要な長さの雄螺子５１に通し、調節した錘５を取り付けた雄螺子５１の夫々を前記各筒内部の雌螺子穴２３ｄ，２４ｄ，２５ｄに適宜ねじ込み固定した。【選択図】図１
0003154983.tif 000002
【実用新案登録請求の範囲】
【請求項１】
パターフェイス背面の右端・中央・左端の３ヶ所に夫々に筒を後方に向けて並設し、後端が開口された前記各筒内部の奥端中心に雌螺子穴を夫々設け、前記筒内径より小さく中央に穴の開いた錘を必要数組み合わせ必要な長さの雄螺子に通し、調節した錘を取り付けた雄螺子の夫々を前記各筒内部の雌螺子穴に適宜ねじ込み固定したことを特徴とするバランス調整可能なパタークラブ。
【請求項２】
パターフェイス背面の右・中央・左３ヶ所の各筒の最上面とパターフェイス上面との間には、パターフェイスに対して直角なバッティングストローク直進性の視覚案内直線が夫々設けられている請求項１記載のバランス調整可能なパタークラブ。
【請求項３】
パターフェイス背面の右端・中央・左端の３ヶ所に夫々後方に向けて並設した各筒の最下面は、パターヘッドの下面となるパターソールより上方に位置している請求項１記載のバランス調整可能なパタークラブ。
【請求項４】
パターフェイス背面の右端・中央・左端の３ヶ所に夫々後方に向けて並設した各筒の開口する後端は、最下端側から最上端側に向けて斜め上向きに傾斜して突出するように形成されている請求項１記載のバランス調整可能なパタークラブ。
【考案の詳細な説明】
【技術分野】
【０００１】
この考案は、ゴルフで使用されるパタークラブに係り、特に、パッティングストロークにおいてパタークラブ振り子運動直進性のバランス調整ができるバランス調整可能なパタークラブに関するものである。
【背景技術】
【０００２】
パッティングストローク直進性はプレー者の身長、左右の腕の長短・筋力の差等の違いにより個々にプレー者独自の特性があり、また既存のパタークラブの多くはバランス調整も無く、プレー者の能力の全てにおいてパッティングストローク直進性を求めている。
【先行技術文献】
【特許文献】
【０００３】
【特許文献１】特開平２００１−３５３２３９
【考案の概要】
【考案が解決しようとする課題】
【０００４】
ところで、パッティングストローク直進性において、既存のパクークラブを使用した場合、プレー者独自の特質をプレー者自身がパタークラブに合わせ身体を調整しながらストロークしていた。
また、既存の一部のパタークラブはバランス調整ができても微小であり、その変化も大きくなくパッティングストローク時の効果も僅かである。
【０００５】
この考案は、上記のような課題に鑑み、その課題を解決すべく創案されたものであって、その目的とするところは、パッティングストロークにおいて、プレー者自身がパタークラブに合わせ身体を調整することなく、パタークラブ振り子運動直進性のバランス調整を行うことのできるバランス調整可能なパタークラブを提供することにある。
【課題を解決するための手段】
【０００６】
以上の課題を達成するために、請求項１の考案は、パターフェイス背面の右端・中央・左端の３ヶ所に夫々に筒を後方に向けて並設し、後端が開口された前記各筒内部の奥端中心に雌螺子穴を夫々設け、前記筒内径より小さく中央に穴の開いた錘を必要数組み合わせ必要な長さの雄螺子に通し、調節した錘を取り付けた雄螺子の夫々を前記各筒内部の雌螺子穴に適宜ねじ込み固定した手段よりなるものである。
【０００７】
ここで、請求項１の好ましい態様として、請求項２は、パターフェイス背面の右・中央・左３ヶ所の各筒の最上面とパターフェイス上面との間には、パターフェイスに対して直角なバッティングストローク直進性の視覚案内直線が夫々設けられている。
【０００８】
また、請求項１の好ましい態様として、請求項３は、パターフェイス背面の右端・中央・左端の３ヶ所に夫々後方に向けて並設した各筒の最下面は、パターヘッドの下面となるパターソールより上方に位置している。
【０００９】
また、請求項１の好ましい態様として、請求項４は、パターフェイス背面の右端・中央・左端の３ヶ所に夫々後方に向けて並設した各筒の開口する後端は、最下端側から最上端側に向けて斜め上向きに傾斜して突出するように形成されている。
【考案の効果】
【００１０】
課題を解決するための手段よりなるこの考案に係るバランス調整可能なパタークラブによれば、このパタークラブのバランス調整は錘の数を自由にプレー者自身が調節でき、独自のバランス調整を容易に適合させる事により、安定したバッティングストローク直進性を得る事ができる。殊にパターフェイス背面の右・中央・左の３ヶ所夫々を、自身に適合させたバランス調整をする事でパッティングストローク直進性を安定させる事ができる等、極めて実用的有益なる効果を奏するものである。
【００１１】
また、請求項２の考案に係るバランス調整可能なパタークラブによれば、パターフェイスに対して直角なバッティングストローク直進性の視覚案内直線が夫々設けられているので、この直線を目印として利用することにより、バッティングストローク直進性を高めることが容易となる。
【００１２】
また、請求項３の考案に係るバランス調整可能なパタークラブによれば、パターフェイス背面の右端・中央・左端の３ヶ所に夫々後方に向けて並設した各筒の最下面は、パターヘッドの下面となるパターソールより上方に位置しているので、バッティングストロークにおいて、パターフェイスがゴルフボールに当たった後のパタークラブの振り子運動の際に各筒の最下面が地面に接触するのを防ぐことができ、スムーズなパタークラブの振り子運動を妨げることはない。
【００１３】
また、請求項４の考案に係るバランス調整可能なパタークラブによれば、パターフェイス背面の右端・中央・左端の３ヶ所に夫々後方に向けて並設した各筒の開口する後端は、最下端側から最上端側に向けて斜め上向きに傾斜して突出するように形成されているので、各筒の内部の様子が真上側から見えず美観が損なわれることがなく、またゴミなどの異物が筒の内部に入りにくくすることができる。
【図面の簡単な説明】
【００１４】
【図１】この考案を実施するための形態を示すバランス調整可能なパタークラブの背面側から見た斜視図である。
【図２】この考案を実施するための形態を示すバランス調整可能なパタークラブの正面側から見た斜視図である。
【図３】（Ａ）はこの考案を実施するための形態を示すバランス調整可能なパタークラブの側面図である。  （Ｂ）はこの考案を実施するための形態を示すバランス調整可能なパタークラブの正面図である。  （Ｃ）はこの考案を実施するための形態を示すバランス調整可能なパタークラブの平面図である。
【図４】（Ａ）〜（Ｃ）はこの考案を実施するための形態を示す雄螺子に通された錘の側面図である。
【図５】（Ａ）〜（Ｃ）はこの考案を実施するための形態を示すバランス調整可能なパタークラブでパターを打つときの平面から見た説明図である。
【図６】（Ａ）〜（Ｂ）はこの考案を実施するための形態を示すバランス調整可能なパタークラブでパターを打つときの平面から見た他例の説明図である。
【図７】（Ａ）〜（Ｂ）はこの考案を実施するための形態を示すバランス調整可能なパタークラブでパターを打つときの側面から見た説明図である。
【考案を実施するための形態】
【００１５】
以下、図面に記載の考案を実施するための形態に基づいて、この考案をより具体的に説明する。
【００１６】
図において、パタークラブ１はパッティングストロークにおいてパタークラブ振り子運動直進性のバランス調整ができる特徴を備えており、パターヘッド２の上面となるパタートップ２１の中央に、シャフト３がパターフェイス２２に対して略平行な状態で少し傾いて上向きに設けられ、シャフト３の上端側にはグリップ４が設けられている。
【００１７】
パターフェイス２２の背面の右端・中央・左端の３ヶ所には、夫々に例えば円筒形の筒２３，２４，２５が後方に向けて並設されている。円筒形の各筒２３，２４，２５は内部２３ａ，２４ａ，２５ａが空洞になっている。円筒形の各筒２３，２４，２５は、同じ直径と同じ長さから構成されている。
【００１８】
円筒形の各筒２３，２４，２５は、パターフェイス２２の背面の右端・中央・左端の３ヶ所に、例えば接合されて設けられていたり、或いは一体成形によって設けられていたりする。これら円筒形の各筒２３，２４，２５はパターフェイス２２の背面に後方に向けて直角に設けられている。
【００１９】
円筒形の各筒２３，２４，２５は、その後端２３ｂ，２４ｂ，２５ｂが夫々開口されている。叉開口された各後端２３ｂ，２４ｂ，２５ｂは最下端側から最上端側に向けて斜め上向きに傾斜して突出するように形成されている。つまり、図示するように、最上端側が最下端側より後方に向けて突出していて、上側から見たときには、突出する最上端側によって各筒２３，２４，２５の内部２３ａ，２４ａ，２５ａが見えないようになっている。これにより、美観が損なわれるのが防がれ、叉、ゴミ等の異物が入りにくくなっている。
【００２０】
各筒２３，２４，２５の内部２３ａ，２４ａ，２５ａの奥端２３ｃ，２４ｃ，２５ｃ、例えば筒２３，２４，２５がパターフェイス２２の背面に接合されて設けられる場合にはパターフェイス２２の背面となる箇所の各奥端中心には、雌螺子穴２３ｄ，２４ｄ，２５ｄが夫々設けられている。
【００２１】
この雌螺子穴２３ｄ，２４ｄ，２５ｄには、各筒２３，２４，２５の内径より小さく中央に穴の開いた錘５が必要数組み合わせ必要な長さの雄螺子５１に通され、調節した錘５を取り付けた雄螺子５１の先端側の夫々が適宜ねじ込み固定されている。この雄螺子５１に取り付けられた錘５の重さの違いによって、或いは錘５の取り付け位置の違いによって、パタークラブ振り子運動直進性のバランス調整が図られる。
【００２２】
各筒２３，２４，２５が例えば円筒形の場合には錘５は円形が使用されるが、角筒形の場合にはこの形状に対応した角形が使用される。錘５は重さの微調整が可能なように、厚みが薄いもの、少し厚みのあるもの、厚みのあるもの、など各種の厚みを有するものが使用される。錘５の重さは厚みに比例する。
【００２３】
錘５が通される雄螺子５１は、雌螺子穴２３ｄ，２４ｄ，２５ｄにねじ込まれる先端側の反対側となる後端側には径が大きめの摘み５１ａが形成されている。摘み５１ａの後端面の中央には例えば六角凹穴が形成されている。この六角凹穴に先端が六角形のねじ回しを差し込んで回すことにより、錘５が通された雄螺子５１を各雌螺子穴２３ｄ，２４ｄ，２５ｄにねじ込んだり、そこから取り外したりしている。
【００２４】
錘５が通される雄螺子５１は、各筒２３，２４，２５の内部２３ａ，２４ａ，２５ａに入って隠れる範囲で、その長さが長いものから短いものがある。また長い雄螺子５１に通される錘５は、その錘５の重さだけでなく、錘５の取り付け箇所によっても調整可能になっている。
【００２５】
即ち、長い雄螺子５１に通される錘５は、例えば雄螺子５１の摘み５１ａ側となる後部側にのみ取り付けられたり、雄螺子５１の中間部分にのみ取り付けられたり、或いは雄螺子５１の前部側にのみ取り付けられることもある。このときには、雄螺子５１に螺合したナット５１ｂによって錘５が移動しないように固定される。
【００２６】
パターフェイス２２の背面の右・中央・左３ヶ所の各筒２３，２４，２５の最上面とパターフェイス２２の上面となるパタートップ２１の間には、パターフェイス２２に対して直角なバッティングストローク直進性の視覚案内直線２６が夫々設けられている。この直線２６を目印として利用することにより、バッティングストローク直進性を高めることが容易となる。
【００２７】
また、パターフェイス２２の背面の右端・中央・左端の３ヶ所に夫々後方に向けて並設した各筒２３，２４，２５の最下面は、パターヘッド２の下面となるパターソール２７より上方に位置している。その上方位置は、例えばパターフェイス２２がゴルフボールに当たった後のパタークラブ１の振り子運動の際に各筒２３，２４，２５の最下面が地面に接触しない位置である。
【００２８】
次に、上記考案を実施するための形態の構成に基づく錘の調整について以下説明する。
錘５を雄螺子５１に通して取り付ける場合、錘５の取り付け枚数、雄螺子５１上の錘５の取り付け位置、また、パターフェイス２２の背面の右・中央・左の３ヶ所の各筒２３，２４，２５のどの箇所に取り付けるかによって、種々のパタークラブ振り子運動直進性のバランス調整を容易に行うことができる。
【００２９】
図５（Ａ）に示すように、筒２３の内部２３ａの前部側のみを満たすように錘５を雄螺子５１に通して取り付け、筒２５の内部２５ａの後部側のみを満たすように錘５を雄螺子５１に通して取り付けて、筒２３側の前部側を重くし、筒２５側の後部側を重くして、パタークラブ１でゴルフボールａを打った場合には、ゴルフボールａにはスライスｂ方向に転がる力が作用するので、パターを打つときフックｃする癖があるプレー者はこれによって矯正されて、ゴルフボールａを真っ直ぐ打つことができる。
【００３０】
これとは反対に図５（Ｂ）に示すように、筒２３の内部２３ａの後部側のみを満たすように錘５を雄螺子５１に通して取り付け、筒２５の内部２５ａの前部側のみを満たすように錘５を雄螺子５１に通して取り付けて、筒２３側の後部側を重くし、筒２５側の前部側を重くして、パタークラブ１でゴルフボールａを打った場合には、ゴルフボールａにはフックｃ方向に転がる力が作用するので、パターを打つときスライスｂする癖があるプレー者はこれによって矯正されて、ゴルフボールａを真っ直ぐ打つことができる。
【００３１】
さらに、図５（Ｃ）に示すように、筒２３の内部２３ａの全部を満たすように錘５を雄螺子５１に通して取り付け、叉筒２５の内部２５ａの全部を満たすように錘５を雄螺子５１に通して取り付けて、筒２３側及び筒２５側の双方を重くして、パタークラブ１でゴルフボールａを打った場合には、パターを打つときの左右のふらつきを小さくでき、ゴルフボールａを真っ直ぐ打つことができる。パターを打つときふらつく癖があるプレー者はこれによって矯正される。
【００３２】
また、図６（Ａ）に示すように、筒２３の内部２３ａの全部を満たすように錘５を雄螺子５１に通して取り付け、筒２５の内部２５ａの一部を満たすように錘５を雄螺子５１に通して取り付けて、筒２３側を重くし、筒２５側をこれより軽くして、パタークラブ１でゴルフボールａを打った場合には、ゴルフボールａにはスライスｂ方向に転がる力が作用するので、パターを打つときフックｃする癖があるプレー者はこれによって矯正されて、ゴルフボールａを真っ直ぐ打つことができる。
【００３３】
これとは反対に図６（Ｂ）に示すように、筒２３の内部２３ａの一部を満たすように錘５を雄螺子５１に通して取り付け、筒２５の内部２５ａの全部を満たすように錘５を雄螺子５１に通して取り付けて、筒２３側を軽くし、筒２５側をこれより重くして、パタークラブ１でゴルフボールａを打った場合には、ゴルフボールａにはフックｃ方向に転がる力が作用するので、パターを打つときスライスｂする癖があるプレー者はこれによって矯正されて、ゴルフボールａを真っ直ぐ打つことができる。
【００３４】
また、図７（Ａ）に示すように、筒２３，２４，２５の内部２３ａ，２４ａ，２５ａの後部側のみを満たすように錘５を雄螺子５１に通して取り付けて、筒２３，２４，２５側の後部側を重くして、自然にパタークラブ１を持ったときにはパターフェイス２２の面が少し前側にくるので、パタークラブ１でゴルフボールａを打った場合、ゴルフボールａを押し出す力が少し高まる。パターを打つとき、いつも少し弱めに打ち過ぎる癖があるプレー者はこれによって矯正される。
【００３５】
これとは反対に図７（Ｂ）に示すように、筒２３，２４，２５の内部２３ａ，２４ａ，２５ａの前部側のみを満たすように錘５を雄螺子５１に通して取り付けて、筒２３，２４，２５側の前部側を重くして、自然にパタークラブ１を持ったときにはパターフェイス２２の面が少し後側にくるので、パタークラブ１でゴルフボールａを打った場合、ゴルフボールａを押し出す力が少し弱まるが、ダイレクト感はある。パターを少し打ち過ぎる癖があるプレー者はこれによって矯正される。
【００３６】
なお、この考案は上記考案を実施するための形態に限定されるものではなく、この考案の精神を逸脱しない範囲で種々の改変をなし得ることは勿論である。
【符号の説明】
【００３７】
１    パタークラブ
２    パターヘッド
２１    パタートップ
２２    パターフェイス
２３    筒
２３ａ  内部
２３ｂ  後端
２３ｃ  奥端
２３ｄ  雌螺子穴
２４    筒
２４ａ  内部
２４ｂ  後端
２４ｃ  奥端
２４ｄ  雌螺子穴
２５    筒
２５ａ  内部
２５ｂ  後端
２５ｃ  奥端
２５ｄ  雌螺子穴
２６    視覚案内直線
２７    パターソール
３    シャフト
４    グリップ
５    錘
５１    雄螺子
５１ａ  摘み
５１ｂ  ナット
ａ    ゴルフボール
ｂ    スライス
ｃ    フック
【図１】
0003154983.tif 000003
【図２】
0003154983.tif 000004
【図３】
0003154983.tif 000005
【図４】
0003154983.tif 000006
【図５】
0003154983.tif 000007
【図６】
0003154983.tif 000008
【図７】
0003154983.tif 000009